(57)【要約】  【課題】  耳漏、鼻汁、痰等の分泌物の採取時において、採取動作中の医師の負担を軽減することができる耳漏，鼻汁，その他分泌物の吸引及び検査用サンプル採取器具を提供すること。  【解決手段】  耳漏、鼻汁、痰等の分泌物を検査するための耳漏，鼻汁，その他分泌物の吸引及び検査用サンプル採取器具１であって、前部開口２、吸気口である後部開口３、空気流入孔４及び検体容器接続口５を有する中空状の器具本体６と、前部開口２に連通連設されたノズル７と、前端部１０が、耳孔、鼻孔、咽喉に挿入可能であり、中間部１２が前記器具本体６内に挿入され、後端部１３が検体容器接続口５に接続された検体容器１４の内部に挿入される吸引チューブ８とを備え、前記吸気口３から吸引ポンプで吸気して前記検体容器１４内に耳漏、鼻汁、痰等の分泌物を採取するように構成している。【選択図】        図１
2011229806.tif 000002
【特許請求の範囲】
【請求項１】
耳漏、鼻汁、痰等の分泌物を検査するための耳漏，鼻汁，その他分泌物の吸引及び検査用サンプル採取器具であって、
前部開口、吸気口である後部開口、空気流入孔及び検体容器接続口を有する中空状の器具本体と、
前部開口に連通連設されたノズルと、
前端部が、耳孔、鼻孔、咽喉に挿入可能であり、中間部が前記器具本体内に挿入され、後端部が検体容器接続口に接続された検体容器の内部に挿入される吸引チューブとを備え、
前記吸気口から吸引ポンプで吸気して前記検体容器内に耳漏、鼻汁、痰等の分泌物を採取するように構成したことを特徴とする耳漏，鼻汁，その他分泌物の吸引及び検査用サンプル採取器具。
【請求項２】
器具本体は、溶着された二つ割り部分からなり、略ボールペン形状の外観を有する請求項１に記載の耳漏，鼻汁，その他分泌物の吸引及び検査用サンプル採取器具。
【請求項３】
検体容器は、上方開口を有する有底筒状体であり、器具本体の下側に所定の傾斜角度を有して設けた筒状部の下端に位置する前記検体容器接続口に着脱自在に装着される請求項１または２に記載の耳漏，鼻汁，その他分泌物の吸引及び検査用サンプル採取器具。
【請求項４】
吸引チューブの前端部が直線状であり、この直線状の前端部を水平に維持したときには、前記検体容器接続口に接続された検体容器が上下方向に向くようノズルの湾曲角度および前記筒状部の傾斜角度が設定されている請求項１〜３のいずれか１項に記載の耳漏，鼻汁，その他分泌物の吸引及び検査用サンプル採取器具。
【請求項５】
吸気口である後部開口とは別に、器具本体の下側に所定の傾斜角度を有して設けた筒部の下端に補助吸気口を有するとともに、検体容器の蓋が、吸気口である後部開口と補助吸気口のいずれの蓋にも兼用可能に構成されている請求項１〜４のいずれか１項に記載の耳漏，鼻汁，その他分泌物の吸引及び検査用サンプル採取器具。
【請求項６】
吸気口である後部開口または補助吸気口に、吸引ポンプに連通するホースを接続するためのパイプを装着したときに後部開口のねじ部または補助吸気口のねじ部が破損するのを防止するための割れ止め用補強リングを設けてある請求項１〜５のいずれか１項に記載の耳漏，鼻汁，その他分泌物の吸引及び検査用サンプル採取器具。
【請求項７】
空気流入孔は器具本体の上側で、かつ、平面視ほぼダルマ形状の孔に形成されており、  また、器具本体における空気流入孔の周囲に凹所が形成されている一方、
使用時において検体容器接続口を有する前記筒状部のつけ根に人の指が当接するように凹所が形成されているとともに補助吸気口を有する前記筒部に掌が当接するように前記筒状部と前記筒部が前後に配置されている請求項１〜６のいずれか１項に記載の耳漏，鼻汁，その他分泌物の吸引及び検査用サンプル採取器具。
【請求項８】
少なくとも前記ノズル、前記器具本体及び前記検体容器は透明な合成樹脂より形成されている請求項１〜７のいずれか１項に記載の耳漏，鼻汁，その他分泌物の吸引及び検査用サンプル採取器具。
【発明の詳細な説明】
【技術分野】
【０００１】
この発明は、耳漏，鼻汁，その他分泌物の吸引及び検査用サンプル採取器具に関するものである。
【背景技術】
【０００２】
例えば鼻汁を吸引する吸引器として、下記特許文献１に示すように、空気流入孔が設けられている棒状のチューブを医師が右手で持ち、その空気流入孔を人さし指の指先で押さえながら棒状のチューブの前部開口に取り付けられた貫通孔を有する先端部を患者の鼻孔にあてがい、指先を離せば外気が前記空気流入孔から流れ込むようにし、鼻汁の採取時において吸引ポンプの吸引力をそのまま鼻孔内に作用させずに鼻孔に対する吸引力を緩和するようにしたものが提案されている。
【先行技術文献】
【特許文献】
【０００３】
【特許文献１】実願昭６１−１０１８９３号（実開昭６３−８０４２号）のマイクロフィルム
【発明の概要】
【発明が解決しようとする課題】
【０００４】
しかし、前記特許文献１のものは、先端部が棒状のチューブよりも大径であり、先端部を鼻孔にあてがい鼻汁を採取する際、その先端部が医師の目線を邪魔して鼻孔の中が見え難いという課題を有するだけではなく、人さし指の指先で空気流入孔を押さえながら、人さし指、親指、中指と、親指および人さし指間の四箇所で棒状のチューブを保持することから、医師にとっては不安定な採取動作が強いられるおそれがある。
【０００５】
この発明は、上述の事柄に留意してなされたもので、その目的は、耳漏、鼻汁、痰等の分泌物の採取時において、採取動作中の医師の負担を軽減することができる耳漏，鼻汁，その他分泌物の吸引及び検査用サンプル採取器具を提供することである。
【課題を解決するための手段】
【０００６】
上記目的を達成するために、この発明の耳漏，鼻汁，その他分泌物の吸引及び検査用サンプル採取器具は、耳漏、鼻汁、痰等の分泌物を検査するための耳漏，鼻汁，その他分泌物の吸引及び検査用サンプル採取器具であって、
前部開口、吸気口である後部開口、空気流入孔及び検体容器接続口を有する中空状の器具本体と、
前部開口に連通連設されたノズルと、
前端部が、耳孔、鼻孔、咽喉に挿入可能であり、中間部が前記器具本体内に挿入され、後端部が検体容器接続口に接続された検体容器の内部に挿入される吸引チューブとを備え、
前記吸気口から吸引ポンプで吸気して前記検体容器内に耳漏、鼻汁、痰等の分泌物を採取するように構成したことを特徴としている（請求項１）。
【０００７】
また、この発明において、器具本体は、溶着された二つ割り部分からなり、略ボールペン形状の外観を有するのが好ましく（請求項２）、
また、検体容器は、上方開口を有する有底筒状体であり、器具本体の下側に所定の傾斜角度を有して設けた筒状部の下端に位置する前記検体容器接続口に着脱自在に装着されるのが好ましく（請求項３）、
また、吸引チューブの前端部が直線状であり、この直線状の前端部を水平に維持したときには、前記検体容器接続口に接続された検体容器が上下方向に向くようノズルの湾曲角度および前記筒状部の傾斜角度が設定されているのが好ましく（請求項４）、
また、吸気口である後部開口とは別に、器具本体の下側に所定の傾斜角度を有して設けた筒部の下端に補助吸気口を有するとともに、検体容器の蓋が、吸気口である後部開口と補助吸気口のいずれの蓋にも兼用可能に構成されているのが好ましく（請求項５）、
また、吸気口である後部開口または補助吸気口に、吸引ポンプに連通するホースを接続するためのパイプを装着したときに後部開口のねじ部または補助吸気口のねじ部が破損するのを防止するための割れ止め用補強リングを設けてあるのが好ましく（請求項６）、
さらに、空気流入孔は器具本体の上側で、かつ、平面視ほぼダルマ形状の孔に形成されており、また、器具本体における空気流入孔の周囲に凹所が形成されている一方、使用時において検体容器接続口を有する前記筒状部のつけ根に人の指が当接するように凹所が形成されているとともに補助吸気口を有する前記筒部に掌が当接するように前記筒状部と前記筒部が前後に配置されているのが好ましく（請求項７）、
また、少なくとも前記ノズル、前記器具本体及び前記検体容器は透明な合成樹脂より形成されているのが好ましい（請求項８）。
【発明の効果】
【０００８】
本願の請求項１に係る発明では、耳漏、鼻汁、痰等の分泌物を採取するにあたり、器具本体の前部開口に連通連設されたノズルを介して、中間部が器具本体内に挿入され前端が耳孔、鼻孔、咽喉に挿入される構成の吸引チューブを用いている。すなわち、前記ノズルから吸引チューブの前端部を突出させており、吸引チューブの前端が医師の目線を妨げることはないので、耳孔の中、鼻孔の中、咽喉の中を見易くでき、採取動作中の医師の負担を軽減することができる。
【０００９】
例えば、器具本体が略ボールペン形状の外観を有し（請求項２）、吸引チューブの前端部が直線状である（請求項４）場合には、前記ノズルを介して、器具本体よりも細い吸引チューブの前端部が器具本体の前部開口側に位置するので、耳孔の中、鼻孔の中、咽喉の中を見易くすることができる。
【００１０】
また、空気流入孔を医師の人さし指の指先で押さえながら、人さし指、親指、中指と、親指および人さし指間の四箇所で器具本体を保持する構成でありながら、本願の請求項１に係る発明では、器具本体に検体容器接続口を設け、この検体容器接続口に接続される検体容器を備えているので、従来例では器具本体の保持に関与していなかった少なくとも薬指を検体容器にあてがうことができ、検体容器を装着しない器具本体（例えば従来例の棒状のチューブ）に比べて、安定した保持状態を得ることができ、採取動作中の医師の負担をより軽減することができる。すなわち、本願の請求項１に係る発明は、空気流入孔を医師の人さし指の指先で押さえながら親指と中指と、親指および人さし指間とで器具本体を保持する構成を含む上に、少なくとも薬指と掌で検体容器を挟むことができ、結果として小指を除く４本の指と、掌と、親指および人さし指間とを利用できてその六箇所で器具本体を保持する構成を採用しており、採取動作中に微妙に振れることなく器具本体を確実に定位置に保持することができる。この効果は、検体容器は、上方開口を有する有底筒状体であり、器具本体の下側に所定の傾斜角度を有して設けた筒状部の下端に位置する前記検体容器接続口に着脱自在に装着される（請求項３）場合と、使用時において検体容器接続口を有する筒状部のつけ根に人の指が当接するように凹所が形成されている（請求項７）場合に特に有効である。この場合、中指が前記つけ根に載ることになり、中指と筒状部のフイット性を向上でき、ひいては、器具本体の保持性を向上させることができる。なお、この発明では、小指を絡ませることが可能なように検体容器の大きさおよびその形状を適宜設定することもできる。この場合、小指と薬指と右手の掌で検体容器を挟むことができる。
【００１１】
また、この発明では、図１，２に示すように、検体容器１４は、その上方開口１４ａが塞がれないまま上方開口１４ａを介して吸引チューブ８の後端部１３が挿入されている。そして、患者の例えば中耳内に吸引チューブ８の前端部１０を挿入して耳漏を検体容器１４内に採取する場合を例にとると、検査するために必要な量Ｓ（図３参照）の耳漏を検体容器１４内に溜める必要がある。そこで、できるだけ多くの量Ｓを溜めるため本願の請求項４に係る発明が有効である。すなわち、本願の請求項４に係る発明では、図３に示すように、吸引チューブ８の前端部１０を水平に維持した状態で前記中耳内に挿入している限りは、検体容器接続口５に接続されている検体容器１４が上下方向に向くことになる。これに対し、器具本体６を水平に維持したので検体容器１４が上下方向から傾斜して位置している図１の状態においては耳漏をこぼさないで溜める最大量Ｓ’（図１に点線で示す）は、図３で示す必要量Ｓよりも少なくなる（Ｓ’＜Ｓ）。すなわち、本願の請求項４に係る発明では、吸引チューブの前端部が直線状であり、直線状の前端部を水平に維持したときには、前記検体容器接続口に接続された検体容器が上下方向に向くようノズルの湾曲角度および筒状部の傾斜角度が設定されているので、検体容器内に溜まっていく耳漏、鼻汁、痰等の分泌物を検体容器外の器具本体内にこぼれ難くすることができる。
【図面の簡単な説明】
【００１２】
【図１】この発明の一実施形態に係る耳漏，鼻汁，その他分泌物の吸引及び検査用サンプル採取器具を示す構成説明図である。
【図２】上記実施形態の構成部材を示す構成説明図である。
【図３】上記実施形態の使用状態を示す図である。
【図４】（Ａ）は、上記実施形態における吸引チューブ取り付け前の状態を示す平面図である。（Ｂ）は、上記実施形態における器具本体の二つ割り部分の位置決めを行うための構成を示す図である。
【発明を実施するための形態】
【００１３】
以下、この発明の実施形態について説明する。図１〜図４は、ノズルを例えば溶着により器具本体に接続してあるこの発明の一実施形態を示す。図１は、二つ割りに構成した器具本体の一方に吸引チューブを設けた状態を示し、図２は、吸引チューブを除く各種構成部材を示し、図３は例えば耳漏の原因菌を検査して原因菌に応じた抗生物質を投与するため耳漏を採取している状態を示している。また、図４（Ａ）は上記実施形態を上側から見ている。図４（Ｂ）は器具本体の前側から見た器具本体の二つ割り部分の位置決めを行うための構成を示している。図１〜図４において、耳漏，鼻汁，その他分泌物の吸引及び検査用サンプル採取器具１は、前部開口２、吸気口である後部開口３、空気流入孔４及び検体容器接続口５を有する中空状の器具本体６と、前部開口２に連通連設されたノズル７と、前端部１０が、耳孔１１に挿入可能であり、中間部１２が前記器具本体６内に挿入され、後端部１３が検体容器接続口５に接続された検体容器１４の内部に挿入される吸引チューブ８とを主として備えており、前記吸気口３から吸引ポンプ（図示せず）で吸気して前記検体容器１４内に耳漏を採取するように構成されている。前部開口２は、環状の内向きフランジＬによって形成されている。そして、人指し指ｆで空気流入孔４の開度を調整することにより空気の吸入状態を変更することができる。さらに、器具本体６は、溶着された二つ割り部分６ａ，６ｂからなり、略ボールペン形状の外観を有している。図１に矢印Ｋで示す拡大部分におけるＤは、二つ割り部分６ａ，６ｂの溶着部分を示している。検体容器１４は、雄ねじ部Ｆによって形成されている上方開口１４ａを有する有底筒状体であり、器具本体６の下側に所定の傾斜角度θを有して設けた筒状部１５の下端に位置する前記検体容器接続口５に着脱自在に装着される。この実施形態では、検体容器接続口５は、雄ねじ部Ｆに螺合する雌ねじ部によって形成されており、検体容器１４の雄ねじ部Ｆの直下に形成された外向きフランジ１４ｂの上面ｕが検体容器接続口５の下面５に当接した状態で検体容器１４が検体容器接続口５にねじ結合される。また、吸引チューブ８の前端部１０が直線状であり、図３に示すように、この直線状の前端部１０を水平に維持したときには、前記検体容器接続口５に接続された検体容器１４の中心線Ｑが上下方向に向くようノズル７の湾曲角度αおよび前記筒状部１５の傾斜角度βが設定されている。図３において、両矢印Ｘで示す方向は水平方向であり、両矢印Ｚで示す方向はＸ方向に直角な上下方向である。そして、器具本体６よりも細い吸引チューブ８の前端部１０をノズル７から突出させており、かつノズル７の湾曲角度αが所望の角度に設定されているので、吸引チューブ８の前端部１０を水平に維持するよう患者を位置させるだけで、吸引チューブ８の前端部１０が医師１００の目線を妨げることはなく耳孔１１の中を見易くできる状態を実現でき、採取動作中の医師１００の負担を軽減することができる。
【００１４】
吸引チューブ８の前端部１０は、ノズル７内に形成されているチューブ挿入孔Ｈから外側に突出した状態で直線状に形成されている一方、ノズル７は、器具本体６の軸線Ｐ上に位置するノズル本体７ａの背面側に設けた段部Ｇを介して器具本体６の前部開口２に溶着により取り付けられている。段部Ｇは、環状の内向きフランジＬが嵌合する嵌合溝ｔと、ノズル本体７ａの背面ｅとで内向きフランジＬを挟む環状の外向きフランジＬ’とから構成されている。このように、器具本体６の内向きフランジＬをノズル本体７ａの背面側に設けた段部Ｇに形成されている嵌合溝ｔに嵌込み、かつ前部開口２と段部Ｇを溶着してノズル７を器具本体６の前部開口２にシール可能に固着したので、固着部分からの空気漏れを防ぐことができる。なお、ノズル７を前部開口２に連通連設する別の方法として、ノズル７と器具本体６を一体に形成してもよい。また、ノズル７は、ノズル本体７ａから下向き外側に所定の湾曲角度αをなして湾曲して延設されたノズル先端部分７ｂを有し、さらに、ノズル本体７ａおよびノズル先端部分７ｂは共に、少なくとも外周面Ｍ，Ｎがテーパに形成され、先端に向かうにつれて小径に形成されているとともに、チューブ挿入孔Ｈは、ノズル先端部分７ｂに形成され吸引チューブ８が嵌挿可能な小径の孔部分ａと、その孔部分ａよりも大径でテーパに形成され、前部開口２側に向かうにつれて大径に形成されている孔部分ｂとよりなる。
【００１５】
図２に示すように、前記傾斜角度θは、器具本体６の軸線Ｐと検体容器１４の中心線Ｑとのなす角度（鋭角）である。前記湾曲角度αは、器具本体６の軸線Ｐとノズル先端部分７ｂの中心線Ｒとのなす角度（鋭角）である。前記湾曲角度αは２５〜３５°が好ましく、３０°がより好ましい。また、筒状部１５の傾斜角度βは、器具本体６の軸線Ｐと筒状部１５の中心線Ｔとのなす角度（鋭角）であり、この実施形態では、検体容器接続口５にねじ結合されている検体容器１４の中心線Ｑと前記中心線Ｔが一致しており、傾斜角度βは傾斜角度θに等しい。
【００１６】
また、器具本体６は、吸気口である後部開口３とは別に、器具本体６の下側に筒状部１５の傾斜角度βと同じ傾斜角度βを有して設けた筒部２０の下端に補助吸気口２１を有している。そのため、吸引ポンプの位置やその他の種々の状況に合わせて吸気口を変更することができる。そして、図２に示すように、検体容器１４の蓋２２が、吸気口である後部開口３と補助吸気口２１のいずれの蓋にも兼用可能に構成されている。この実施形態では、吸気口である後部開口３の外周面と補助吸気口２１の外周面は雄ねじに形成されている一方、蓋２２はこれら雄ねじに螺合する雌ねじを有する。さらに、吸気口である後部開口３の内周面と補助吸気口２１の内周面には雌ねじが形成されている。さらに、吸気口である後部開口３または補助吸気口２１に、吸引ポンプに連通するホースｈを接続するためのパイプ２５を装着したときに雄ねじ・雌ねじ部によって形成されている後部開口３または雄ねじ・雌ねじ部によって形成されている補助吸気口２１が破損するのを防止するための割れ止め用補強リング２６が設けられている。この実施形態では、図１に示すように、パイプ２５を介して、吸気口である後部開口３にホースｈが接続されている。なお、図４は割れ止め用補強リング２６を設けていない状態を示している。
【００１７】
前記パイプ２５は、外向きフランジ２５ａと、そのフランジ２５ａの前後に後部開口３の雌ねじに螺合可能な雄ねじ部２５ｂおよびホースｈ装着パイプ部２５ｃをそれぞれ有している。外向きフランジ２５ａは、後部開口３の端面３ａと同一の外径を有し、その端面３ａに当接する。なお、Ｏリング付きの雄ねじ部２５ｂを用いるのが空気漏れを確実に防止できる点で好ましい。また、検体容器１４の雄ねじ部ＦにＯリングを設けるのが好ましく、さらに、蓋２２の雌ねじ部にもＯリングを設けるのが好ましい。そして、異なる内径または外径を有するホースｈにそれぞれ対応可能となるように、ホースｈ装着パイプ部２５ｃは、径の異なるホース装着パイプ部分Ａ，Ｂが外側ほど小径となるように多段に形成されている。この実施形態では、ホース装着パイプ部分Ａの外周面にホースｈが嵌め込まれており、このホースｈよりも内径の小さなホースはホース装着パイプ部分Ａよりも小径のホース装着パイプ部分Ｂに嵌め込まれる。また、ホースとして、パイプ２５のパイプ孔Ｊに内嵌可能なものも適用できる。この場合は嵌め込まれるホースの先端に金具が取り付けられており、この金具を付けたままパイプ孔Ｊに嵌め込まれる。このように、ホースｈの太さに応じて使い分けできるようにホースｈ装着パイプ部２５ｃが構成されている。
【００１８】
また、前記空気流入孔４は器具本体６の上側で、かつ、図４に示すように、平面視ほぼダルマ形状の孔に形成されている。器具本体６を前側から見た場合（矢印Ｅで示す方向から見た場合）、空気流入孔４は、手前の頭部４ａとこれに連設された胴部４ｂとよりなる。さらに、器具本体６における空気流入孔４の周囲には凹所３０が形成されている。そのため、人指し指ｆと器具本体６のフイット性を向上でき、ひいては、人指し指ｆでの空気流入孔４の開度調整操作をし易くできる。一方、検体容器接続口５を有する前記筒状部１５のつけ根１５ａには使用時において中指ｍが当接するように凹所３１が形成されている。また、補助吸気口２１を有する前記筒部２０に掌が当接するように前記筒状部１５と前記筒部２０が適宜間隔を有して前後に配置されている。そのため、医師はボールペンを持つような感じで器具本体６を持てば持ち易い。このとき、前記筒部２０が掌の当たりになる。そして、この実施形態では、前記ノズル７、前記器具本体６、前記検体容器１４およびパイプ２５は透明な合成樹脂より形成されている。これらは有色透明であってもよく、また、無色透明であってもよい。そのため、内部の状態を目視で把握することができる。また、蓋２２も透明な合成樹脂より形成されている。
【００１９】
さらに、前記器具本体６の二つ割り部分６ａ，６ｂのうち、Ｅ方向における左側の部分６ａは、その内面における吸引チューブ８の中間部１２に対応する位置に中間部１２を挟んでガイドする挟持用の２本のピン状突起４０，４１が上下に形成されているとともに、Ｅ方向における右側の部分６ｂの内面における２本のピン状突起４０，４１形成位置の間に対応する位置でピン状突起４０，４１によって挟まれている中間部１２が外れるのを防止する吸引チューブ外れ止め用の１本のピン状突起４２が形成されている。この実施形態では、器具本体６内における吸引チューブ８の中間部１２のガイドおよび中間部１２の外れ防止をより確実にするため、前記左側の部分６ａは、ピン状突起４０，４１よりも下流側にピン状突起４０，４１と同様の機能をする一組のピン状突起４３，４４を有している。この場合、ピン状突起４３，４４は、Ｅ方向における左側の部分６ａの内面で、筒状部１５のつけ根１５ａに形成した凹所３１の直上位置に形成されている。さらに、前記左側の部分６ａは、ピン状突起４３，４４よりも下流側にピン状突起４０，４１と同様の機能をする一組のピン状突起４３ａ，４４ａを筒状部１５内に有している。この場合、ピン状突起４３ａ，４４ａは、Ｅ方向における筒状部１５左側の内面に形成されている。図１に矢印Ｋで示す拡大部分は、上下に位置する２本のピン状突起４０，４１間に吸引チューブ８の中間部１２が器具本体６の軸線Ｐの方向に沿って嵌挿されているとともに、ピン状突起４０，４１間から中間部１２が外れるのを防止するためピン状突起４２の先端部がピン状突起４０，４１間に嵌込まれるとともに、ピン状突起４０，４１で挟まれている吸引チューブ８の中間部１２にピン状突起４２の先端が当接している状態を示している。また、Ｅ方向における右側の部分６ｂの内面における２本のピン状突起４３，４４形成位置の間に対応する位置でピン状突起４３，４４によって挟まれている中間部１２が外れるのを防止する吸引チューブ外れ止め用の１本のピン状突起（図示せず）が形成されている。さらに、ピン状突起４３ａ，４４ａによって挟まれている中間部１２が外れるのを防止する吸引チューブ外れ止め用の１本のピン状突起（図示せず）が、Ｅ方向における筒状部１５左側の内面に形成されている。
【００２０】
また、器具本体の二つ割り部分６ａ，６ｂのうち、左側の部分６ａの内面における器具本体６の軸線Ｐに沿う方向に内方側に内側係入孔５１を有する１本のピン状突起５２が形成され、このピン状突起５２に対応する右側の部分６ｂの内面には、内側係入孔５１に係入して二つ割り部分６ａ，６ｂの位置決めを行う１本のピン状突起５３が形成されている。これらピン状突起５２，５３は筒状部１５の直上に位置している。そして、二つ割り部分６ａ，６ｂの位置決めをより確実に行うためピン状突起５２，５３と同様の機能を有するピン状突起５２，５３が筒部２０および後部開口３間に設けられている。
【００２１】
なお、採取後、耳漏を溜めた検体容器１４に蓋２２をし、検査に付されその後検体容器１４と蓋２２は廃棄処理される。また、ノズル７、器具本体６、パイプ２５、蓋２２も一回限りで廃棄処分される。
【００２２】
また、蓋２２として、雄ねじのものを使用してもよい。この場合、検体容器１４は、雄ねじ部Ｆの内周面に雌ねじを有する。そして、この発明は、耳漏に限らず、鼻孔や咽喉に吸引チューブを挿入して鼻汁や痰等の分泌物を吸引する器具にも適用できる。
【符号の説明】
【００２３】
１      耳漏，鼻汁，その他分泌物の吸引及び検査用サンプル採取器具
２      前部開口
３      後部開口（吸気口）
４      空気流入孔
５      検体容器接続口
６      中空状の器具本体
７      ノズル
８      吸引チューブ
１０    前端部
１１    耳孔
１２    中間部
１３    後端部
１４    検体容器
【図１】
2011229806.tif 000003
【図２】
2011229806.tif 000004
【図３】
2011229806.tif 000005
【図４】
2011229806.tif 000006